(57)【要約】【課題】  他国での運転や他国仕様の車両の運転を、ミス無くできるような車両用運転操作支援装置を提供する。【解決手段】    車両用運転操作支援装置１００において、制御部１が、ドライバーが、対向車線を有する道路において対向車線が走行車線に対し道路左右方向第一側にある道路の走行に慣れた第一側習慣ドライバーであるか否かを特定し、それが特定された場合に、表示部２や音声出力部４に対し、当該第一側習慣ドライバー特有の車両操作ミスを生じないようにする操作補助出力を実行させる。【選択図】図２
2013217739.tif 000002
【特許請求の範囲】
【請求項１】
ドライバーが、対向車線を有する道路において対向車線が走行車線に対し道路左右方向第一側にある道路の走行に慣れたドライバーもしくは運転席が車両左右方向第一側にある車両の運転に慣れたドライバーである第一側習慣ドライバーであるか否かを特定するドライバー種別特定手段と、
前記ドライバーに情報出力する出力手段と、
前記第一側習慣ドライバーが特定された場合に、前記出力手段に、当該第一側習慣ドライバー特有の車両操作ミスを生じないようにする操作補助出力を実行させる出力制御手段と、
を備えることを特徴とする車両用運転操作支援装置。
【請求項２】
前記第一側習慣ドライバー特有の車両操作ミスが生じ易い予め定められたシーンの到来を特定するシーン特定手段と、
前記シーン毎に、そのシーンにおいて生じ易い前記車両操作ミスが第一側習慣ドライバーに生じないようにする操作補助出力内容を記憶する出力内容記憶部と、
を備え、前記出力制御手段は、前記シーンの到来が特定された場合に、特定されたシーンに対応する前記操作補助出力内容の出力を前記操作補助出力として前記出力手段に実行させるものである請求項１に記載の車両用運転操作支援装置。
【請求項３】
前記第一側習慣ドライバー特有の予め定められた車両操作ミスを検出するミス操作検出手段を備え、
前記シーンは前記車両操作ミスを検出した時を含み、前記出力制御手段は、前記車両操作ミスが検出された場合に、検出された車両操作ミスの発生に対する注意喚起内容の出力を前記操作補助出力として前記出力手段に実行させるものである請求項２に記載の車両用運転操作支援装置。
【請求項４】
前記シーンには、前記車線を走行する車線走行シーンが含まれており、
前記出力制御手段は、前記車線走行シーンの到来が特定された場合に、前記出力手段に、自車両の車線上の走行位置の車線中央位置に対するずれの認識を促す出力を前記操作補助出力として実行させるものである請求項２又は請求項３に記載の車両用運転操作支援装置。
【請求項５】
前記シーンには、現在走行中の第一道路から、対向車線を有する第二道路へと進入しようとする道路進入シーンが含まれており、
前記出力制御手段は、前記道路進入シーンの到来が特定された場合に、前記出力手段に、前記第一道路から前記第二道路の対向車線へと進入しないよう促す出力を前記操作補助出力として実行させるものである請求項２ないし請求項４のいずれか１項に記載の車両用運転操作支援装置。
【請求項６】
前記シーンには、自車両が道路上又は道路脇に設けられた、道路の安全かつ円滑な利用を図るための予め定められた標示部に対し所定の視認位置まで達した標示部接近シーンが含まれており、
前記出力制御手段は、前記標示部接近シーンの到来が特定された場合に、前記出力手段に、前記標示部が示す内容を前記ドライバーに認識させる出力を前記操作補助出力として実行させるものである請求項２ないし請求項５のいずれか１項に記載の車両用運転操作支援装置。
【請求項７】
前記操作補助出力を禁止させるための予め定められた出力禁止操作を受け付ける出力禁止操作受付手段と、
前記出力禁止操作を受け付けた場合に、前記出力手段による前記操作補助出力を禁止させる出力禁止手段と、
を備える請求項１ないし請求項６のいずれか１項に記載の車両用運転操作支援装置。
【発明の詳細な説明】
【技術分野】
【０００１】
本発明は、車両用運転操作支援装置に関する。
【背景技術】
【０００２】
近年、ドライバーの安全運転支援を目的とする技術開発が進められており、車載カメラ等により取得される情報からドライバーに警告や注意喚起を発する技術がある（特許文献１）。一方で、グローバル化に伴い外国人が他国で車を運転する機会が増えている。
【先行技術文献】
【特許文献】
【０００３】
【特許文献１】特開２０００−１２８０３１号公報
【発明の概要】
【発明が解決しようとする課題】
【０００４】
しかしながら、他国での自動車運転は自国と運転ルールが異なる場合がある。また、他国の車両は仕様の一部が異なる場合もある。このため、他国での運転や他国仕様の車両の運転はその敷居が高いのが現状である。
【０００５】
本発明の課題は、他国での運転や他国仕様の車両の運転を、ミス無くできるような車両用運転操作支援装置を提供することにある。
【課題を解決するための手段および発明の効果】
【０００６】
上記課題を解決するために、本発明の車両用運転操作支援装置は、
ドライバーが、対向車線を有する道路において対向車線が走行車線に対し道路左右方向第一側にある道路の走行に慣れたドライバーもしくは運転席が車両左右方向第一側にある車両の運転に慣れたドライバーである第一側習慣ドライバーであるか否かを特定するドライバー種別特定手段と、
前記ドライバーに情報出力する出力手段と、
前記第一側習慣ドライバーが特定された場合に、前記出力手段に、当該第一側習慣ドライバー特有の車両操作ミスを生じないようにする操作補助出力を実行させる出力制御手段と、
を備えることを特徴とする。
【０００７】
上記本発明の構成によれば、他国での自動車運転であっても、自国との運転ルールの違いに起因した車両操作ミスに対し、これが生じないようにする操作補助出力がなされるため、ミス無く運転操作ができる。また、他国の規格に従った車両の運転についても、自国規格の車両との混同操作が生じないようにする操作補助出力がなされるため、ミス無く運転操作ができる。
【図面の簡単な説明】
【０００８】
【図１】本発明の一実施形態である車両用運転操作支援装置の構成を簡略的に示したブロック図。
【図２】ガイド出力処理の流れを示すフローチャート。
【図３】各種シーンと運転補助出力内容とが対応関係を示す図。
【図４】車室内内観図。
【図５】カメラの配置と撮影方向を示す図。
【図６】カメラの撮影画像の一例。
【図７】運転補助出力の第一出力例を示す図。
【図８】運転補助出力の第二出力例を示す図。
【図９】運転補助出力の第三出力例を示す図。
【図１０】運転補助出力の第四出力例を示す図。
【図１１】運転補助出力の第五出力例を示す図。
【図１２】運転者が第一側習慣ドライバーであるか否かをユーザー操作により特定できる操作画面の第一例を示す図。
【図１３】運転者が第一側習慣ドライバーであるか否かをユーザー操作により特定できる操作画面の第二例を示す図。
【図１４】運転者の操作ミスから第一側習慣ドライバーであるか否かを特定する処理の流れを示すフローチャート。
【図１５】図８の運転補助出力の変形例を示す図。
【発明を実施するための形態】
【０００９】
以下、本発明の車両用運転操作支援装置の一実施形態を、図面を参照して説明する。
【００１０】
本実施形態の車両用運転操作支援装置１００は、カーナビゲーション装置として構成されており、図１に示すように、制御部１に、ＧＰＳ（Global Positioning System）受信機等を有して自車両２０の現在位置を検出する位置検出部６や、ナビゲーションプログラム５１や地図データ５２等を記憶しているＨＤＤ（Hard Disk Drive）等の記憶部５が接続された周知の構造を有する。また、制御部１１には他にも、自車両２０の現在位置マークと推奨ルートと地図データ等とを重ね合わせて表示する画面２０を有したＬＣＤ（Liquid  Crystal  Display）等の表示部２や、ユーザーからの操作入力を受けるためのメカニカルスイッチやタッチパネル、音声入力装置やリモコン等の操作部３、音声案内を行うための音声出力部４等が接続される。
【００１１】
また、制御部１には、図４に示すように、ステアリングホイール１２に対し車両左右方向における一方の側に設けられた、ワイパーを駆動させるためのワイパー操作部７と、他方の側に設けられた、ウインカー（方向指示器）を駆動させるためのウインカー操作部８とが接続する。本実施形態においては、ワイパー操作部７がステアリングホイール１２の左側、ウインカー操作部８がステアリングホイール１２の右側に位置する。
【００１２】
さらに制御部１には、車外に降る雨や雪を検出する雨雪検出部１０が接続する。
【００１３】
また、制御部１には、図５に示すように、車両左右方向における中心位置２０Ｃに配置されて車両正面前方を撮影するカメラ９が接続する。制御部１は、カメラ９が撮影する車両前方撮影映像上で、自車両２０が走行する車線の左右にある白線を周知の白線検出技術（特願２００２−１６３６６１等参照）を利用した白線検出処理を実施して検出するとともに、検出された左右両側の白線の間において自車両２０がどの位置にあるかを特定して、その特定結果を表示部２の画面２０上で視覚的に表示する処理（図７参照）を行うことができる。
【００１４】
具体的にいえば、カメラ９により図６に示すような車両正面画像９０を撮影し、白線検出処理により車両正面画像９０上で自車両２０の左右両側の白線９０Ｗを検出してその延出ライン９０ｗを推定する。その上で、推定された左右両側の白線延出ライン９０ｗに基づき、それら白線ライン９０ｗの間の中心位置となる車線中心ライン９０ｃを推定する。車両正面画像９０には車両左右方向における自車両２０の中心位置９２が予め決められているから、車線中心ライン９０ｃと、自車両２０の中心位置９２とのずれ９０ｚを算出できる。このずれ９０ｚは、所定の係数を乗ずることにより実際の自車両２０の、車線中心ラインからのズレ量を算出できるし、表示部２の画面２０上での視覚表示（図７参照）の際にも利用できる。
【００１５】
また、制御部１には、自車両２の走行開始を検出する走行開始検出部１１が接続する。走行開始検出部１１を、エンジンを始動させるイグニッションスイッチとし、エンジン始動を走行開始として検出してもよいし、アクセル操作を検出するアクセル操作検出部（例えばアクセルペダル踏下量検出部）とし、アクセルＯＮに伴う車両２０の移動開始を走行開始として検出してもよい。
【００１６】
制御部１は、図示しないＣＰＵ，ＲＯＭ，ＲＡＭ等を有した周知のマイクロコンピュータを中心に構成されており、ＲＯＭや記憶部５には、ＣＰＵが実行する各種プログラムと、それに必要なデータが記憶されている。本実施形態の制御部１は、ナビゲーションプログラム５１を実行することにより、位置検出部６からの各検出信号に基づき座標および進行方向の組として車両２０の現在位置を算出し、算出された現在位置付近の地図データ５２を記憶部５から読み出して、指示された範囲の地図等を算出された現在位置と共に表示部２に表示する地図表示処理や、記憶部５に格納された地点データ５２に基づき、操作部３への操作入力（音声入力を含む）に従って目的地となる施設を選択し、現在位置から目的地までの最適な経路を自動的に求める経路計算を行って経路案内を行う経路案内処理等を行う。このように自動的に最適な経路を設定する手法は、ダイクストラ法等の手法が知られている。
【００１７】
記憶部５には、ナビゲーションプログラム５１や地図データ５２の他にも、地図データ５２が有する各種の道路情報が示す各道路に存在する標示部（信号や道路標識等）の存在位置や、それら各標示部が示す情報等を有した標示部データ５４が記憶されている。
【００１８】
また、本実施形態の車両用運転操作支援装置１００においては、表示部２や音声出力部４からの各種の文字表示及び音声出力を様々な国の言語で行うことが可能であり、記憶部５には、それら各言語での文字表示及び音声出力をするための各国の言語データ５３が記憶されている。
【００１９】
さらに、本実施形態の車両用運転操作支援装置１００においては、自国内での車両の運転や自国仕様の車両の運転に慣れたドライバーが、他国での車両の運転時や他国仕様の車両の運転時に生じ易い車両操作ミスを生じないようにする操作補助出力を、表示部２や音声出力部４から出力するため、記憶部（出力内容記憶部）５には、その出力内容（操作補助出力内容）５５と、その出力内容での出力を実行させるプログラム（操作補助出力プログラム）５６とが記憶されている。具体的に言えば、対向車線を有する道路においてその対向車線が走行車線に対し道路左右方向第一側に走行車線があって道路左右方向第二側にある道路の走行に慣れたドライバーである第一側習慣ドライバーに対し、当該第一側習慣ドライバーに生じ易い車両操作ミスを生じないようにする操作補助出力を、表示部２や音声出力部４から出力するため、記憶部５には、その出力内容５５と、その出力内容での出力を実行させるプログラム５６とが記憶されている。
【００２０】
第一側習慣ドライバーに生じ易い車両操作ミスとは、第一側習慣ドライバーが、それら第一側の習慣（ここでは対向車線が道路左右方向第一側にある道路の走行の習慣）を、その逆の第二側がルールに定められているシチュエーション（ここでは対向車線が道路左右方向第二側にある道路を走行する時）に持ち込んでしまうことで生じる、第一側と第二側の混同・混乱に起因した車両操作ミスのことである。
【００２１】
なお、本実施形態における道路左右方向第一側は道路左右方向左側とする。つまり、ここでの第一側習慣ドライバーは、対向車線が走行車線の左側にある道路の走行に慣れたドライバーであり、そうしたドライバーが、対向車線が走行車線の右側にある日本で車両（自動車）を運転するシチュエーションを想定している。
【００２２】
ここで、上記操作補助出力を実行するプログラム（出力制御手段）５６の処理について、図２を用いて説明する。
【００２３】
制御部１は、このプログラム５６の実行に伴い、まずは、ドライバーが上記第一側習慣ドライバーであるか否かを特定する（Ｓ１：ドライバー種別特定手段）。なお、第一側習慣ドライバーの特定については後述する。
【００２４】
第一側習慣ドライバーと特定されなければ（Ｓ２：Ｎｏ）、本処理は終了となるが、第一側習慣ドライバーと特定された場合には（Ｓ２：Ｙｅｓ）、上記操作補助出力が必要と判断できるため、制御部１が、上記操作補助出力を出力タイミング、即ち第一側習慣ドライバー特有の車両操作ミスが生じ易い予め定められたシーン（運転補助シーン）の検出・特定を開始する（Ｓ３：シーン特定手段）。
【００２５】
上記シーンの到来が特定された場合には（Ｓ４：Ｙｅｓ）、特定されたシーンに対応する操作補助出力内容を、記憶部５の記憶内容５５に基づいて決定し（Ｓ５）、決定された操作補助出力内容の出力を、表示部２及び音声出力部４のいずれか又は双方を出力手段として実行させる（Ｓ６）。記憶部５には、上記記憶内容５５として、図３に示すように、予め定められた各種のシーン毎に、そのシーンにおいて生じ易い車両操作ミスを生じないようにする操作補助出力内容が記憶されており、上記操作補助出力内容の決定の際、制御部１により参照される。
【００２６】
そして制御部１は、操作補助出力を実行するプログラム５６を終了させる信号入力があった場合には（Ｓ７：Ｙｅｓ）本処理を終了し、無ければ（Ｓ７：Ｎｏ）シーン検出を継続する。
【００２７】
ここで、各シーンにおいて出力される操作補助出力内容を説明する。
【００２８】
図７は、本実施形態の操作補助出力の第一例であり、自車両２０が道路の車線を走行する車線走行シーンの到来が特定された場合の操作補助出力である。本実施形態の第一側習慣ドライバーの場合は、対向車線が走行車線に対し道路左右方向第一側（ここでは左側）にある道路の走行に慣れたドライバーであるから、車線走行中には中央よりも左寄りを走行しやすいため、ここでの操作補助出力は、自車両２０の車線上の走行位置の、車線中央位置に対するずれの認識を促す出力とされている。
【００２９】
具体的にいえば、制御部１は、上記操作補助出力として、表示部２の画面２０に、車線上における自車両２０の走行位置と車線中央位置との位置関係を、図７に示すように表示させる。即ち、制御部１は、カメラ９の撮影画像に基づいて自車両２０が走行するその左右の白線を既に述べた白線検出処理によって検出し、検出された場合には上記車線走行シーンの到来と特定する。そして、検出された両側の白線の間に、自車両２０の現走行位置を特定する。一方、表示部２の画面２０には、自車両２０が現在走行中の道路を簡略的に示した道路画像２００Ｂが描画された車線走行画面２０１を表示する。その道路画像２００Ｂ上には、自車両２０が現在走行中の車線を示す走行車線２００ｂと、その車線両脇の白線を示す白線画像２００Ｗ，２００Ｗとが表示されるとともに、それら白線画像２００Ｗ，２００Ｗに挟まれる走行車線２００ｂ上の、自車両２０の上記現走行位置に対応する位置に、自車両画像２００Ａが表示される。これにより、白線画像２００Ｗ，２００Ｗと自車両画像２００Ａとの位置関係から、運転者は、車線中央位置に対する自車両２０の走行位置のずれを認識できる。
【００３０】
さらに本実施形態においては、道路画像２００Ｂ上に、自車両２０が現在走行中の車線を示す走行車線２００ｂの中央に車線中央ライン画像２００Ｃが表示される。このライン画像２００Ｃと、自車両画像２００Ａとの位置関係で、運転者は、車線中央位置に対する自車両２０の走行位置のずれをより明確に認識できる。
【００３１】
また本実施形態においては、自車両画像２００Ａ上に運転者位置を示す運転者位置画像２００ａが表示される。この運転者位置画像２００ａにより、運転者は、自車両２０における自身の位置を再確認することができる。本実施形態の第一側習慣ドライバーは、車両左右方向第一側（ここでは左側）に運転席がある車両の運転に慣れたドライバーである可能性も高いため、それに起因した走行位置のズレであった場合には、そのずれを正すのに効果的である。
【００３２】
また本実施形態においては、各車線において走行方向を示す走行方向提示画像２００Ｄが表示される。本実施形態の第一側習慣ドライバーによる走行車線の誤認識防止に効果的である。
【００３３】
図８は、本実施形態の操作補助出力の第二例であり、シーンには、自車両２０が現在走行中の第一道路から、対向車線を有する第二道路へと進入しようとする道路進入シーンが特定された場合の操作補助出力である。本実施形態の第一側習慣ドライバーの場合は、対向車線が走行車線に対し道路左右方向第一側（ここでは左側）にある道路の走行に慣れたドライバーであるから、車線を間違えて進入しないように、ここでの操作補助出力は、自車両２０が上記第一道路から上記第二道路の対向車線へと進入しないよう促す出力とされている。
【００３４】
具体的にいえば、制御部１は、上記操作補助出力として、表示部２の画面２０に、上記第一道路及び上記第二道路を表示させるとともに、その第一道路から、その第二道路の対向車線とは逆の走行車線へと進入するまでの正しい走行ラインを表示させる、あるいはその第二道路の対向車線へと進入する走行ラインを誤りとして表示させる、あるいは図８に示すようにそれら双方を表示させる。即ち、制御部１は、位置検出部６により検出される自車両２０の現在位置が、交差点や三叉路などの分岐路に対し所定距離以内に接近したか否かを地図データ５２に基づいて判定し、所定距離以内に接近した場合を、上記道路進入シーンの到来と特定する。その上で、制御部１は、表示部２の画面２０に、自車両２０が現在走行中の道路と、接近した分岐路とを簡略的に示した道路画像２００Ｘが描画された車線走行画面２０２を表示させる。その道路画像２００Ｘ上には、接近した分岐路に接続する各道路及びそれらの車線を示す道路画像２０１Ｂ及び車線画像２００ｂ１〜２００ｂ４，２００ｄ１〜２００ｄ４と、それら車線の両脇の白線を示す白線画像２００Ｗ，２００Ｗとが表示される。そして、自車両２０が現在位置する車線画像２００ｂ１上の分岐路手前位置に自車両画像２００Ａが表示されると共に、分岐路を経て自車両２０が進入予定の道路の走行車線２００ｂ２へ向う走行ライン画像２００Ｒ１と、その走行ライン画像２００Ｒ１が正しいことを示す正解提示画像２００ｒ１とが表示される。さらに本実施形態においては、分岐路を経て自車両２０が進入予定の道路の対向車線２００ｄ２に向う走行ライン画像２００Ｒ２とその走行ライン画像２００Ｒ２が誤りであることを示す誤り提示画像２００ｒ２とが表示される。また、図７と同様、運転者位置画像２００ａも表示される。
【００３５】
なお、図８では、ナビプログラムに基づく経路案内実施中であり、制御部１は、その経路案内結果から、自車両２０の予定進路を認識していたものとする。予定進路を認識していない場合には、図１５に示すように、制御部１は、分岐路通過後の全ての走行車線に向う走行ライン画像２００Ｒ１を表示してもよい。さらに正解提示画像２００ｒ１を表示してもよい。この場合、対向車線へ向う誤った走行ライン画像２００Ｒ２及び誤り提示画像２００ｒ２は、右折のものを除いて、画面の見易さの観点から、省略するとよい。
【００３６】
図９及び図１０は、本実施形態の操作補助出力の第三例であり、自車両２０が道路上又は道路脇に設けられた、道路の安全かつ円滑な利用を図るための案内、警戒、規制、及び指示等を示す予め定められた標示部に対し所定の視認位置まで達した標示部接近シーンの到来が特定された場合の操作補助出力である。本実施形態の第一側習慣ドライバーの場合は、対向車線が走行車線に対し道路左右方向第二側（ここでは右側）にない他国の道路の走行に慣れたドライバーであるから、標示部の意味するところをより素早く認識できるように、ここでの操作補助出力は、標示部が示す内容を運転者に認識させる出力とされている。
【００３７】
具体的にいえば、制御部１は、上記操作補助出力として、表示部２の画面２０に、標示部が含む信号に関して、赤信号及び赤信号点灯時の矢印表示の意味するところを、図９に示すように表示させることができる。即ち、制御部１は、位置検出部６により検出される自車両２０の現在位置が、信号に対し所定距離以内に接近したか否かを地図データ５２に基づいて判定し、所定距離以内に接近した場合を、信号接近シーン（上記標示部接近シーン）の到来と特定する。その上で、制御部１は、表示部２の画面２０に、接近した信号に対応する信号画像２０３Ａと共に、赤信号で停車しなければならない点と、矢印表示がある信号の場合には、矢印が表示されている場合には赤信号であても矢印の方向には進行できる点とを説明した赤信号情報２０３Ｂ，２０３Ｃが描画された赤信号説明画面２０３を表示させる。他国においては、「No turn on Red」のように、日本とは異なる標示がなされている場合があり、それとの混乱を防ぐことができる。
【００３８】
さらに、制御部１は、上記操作補助出力として、表示部２の画面２０に、標示部が含む道路標識に関して、標識の意味するところを、図１０に示すように表示させることができる。即ち、制御部１は、位置検出部６により検出される自車両２０の現在位置が、道路標識に対し所定距離以内に接近したか否かを地図データ５２に基づいて判定し、所定距離以内に接近した場合を、標識接近シーン（上記標示部接近シーン）の到来と特定する。その上で、制御部１は、表示部２の画面２０に、接近した標識を示す標識画像２０４Ｂと共に、その意味を説明する説明情報２０４ｂ及び２００Ｓとが描画された標識説明画面２０４を表示させる。図１０は、道路の一方通行を説明する標識説明画面２０４であり、自車両２０が接近中の分岐路とその分岐路に接続する各道路を簡略的に示した道路画像２００Ｚ，２００Ｂが表示されると共に、自車両２０が現在位置する道路の道路画像２００Ｂ上の分岐路手前位置に自車両画像２００Ａが表示されると共に、分岐路を経て自車両２０が一方通行のために進入不可となる道路へ進入する進入ライン画像２００Ｓと、その進入ライン画像２００Ｓが誤りであることを示す誤り提示画像２００ｓとが表示される。
【００３９】
また、第一側習慣ドライバー特有の予め定められた車両操作ミスを検出し、そうした車両操作ミスが検出されたミス検出シーンの到来が特定された場合に、その操作補助出力として、検出された車両操作ミスの発生に対する注意喚起内容の出力を行ってもよい。
【００４０】
第一側習慣ドライバー特有の予め定められた車両操作ミスとは、予め定められた第一の車両操作と第二の車両操作との間で操作を間違える操作ミス等である。例えば、予め定められた車両状況において操作されるべきと定められている第一の車両操作に対し誤って第二の車両操作が実行される操作ミスや、予め定められた第一の車両操作と第二の車両操作のうち一方がなされてから所定時間内に、当該車両操作のキャンセル操作がなされ、その上で他方の車両操作がなされる操作ミス等を例示できる。また、上記車両操作ミスには、予め定められた車両状況において操作されるべきと定められている第一の車両操作が操作されない、予め定められた車両状況において操作されるべきでない定められている第一の車両操作が操作される、といった操作ミスも例示できる。
【００４１】
具体的にいえば、雨雪検出部１０が雨や雪を未検出の車両状況でワイパー操作部７に対するワイパー駆動操作がなされた場合や、逆に雨や雪の検出量が一定以上となった車両状況にもかかわらずワイパー操作部７に対するワイパー駆動操作がなされない場合、他にも、ワイパー操作部７に対するワイパー駆動操作がなされてから所定時間（例えば５秒以内）に、ワイパー操作部７に対するワイパー停止操作がなされ、ウインカー操作部８に対するウインカー点灯操作がなされた場合（もしくはそのワイパー操作部７とウインカー操作部８とが逆の場合）、さらには経路案内中の右左折予定交差点への進入時にウインカー操作部８に対するウインカー点灯操作がなされない場合等を、上記車両操作ミスとすることができる。そして、本実施形態においては、これらの車両操作ミスを第一側習慣ドライバー特有の予め定められた車両操作ミスとし、制御部１は、これらが検出されると、検出された車両操作ミスに対応する注意喚起出力として、例えば図１１のように、検出された車両操作ミスが生じないように促したり、そのときに本来操作されるべき車両操作を案内したりといった画面２０５を表示部２に出力させせる。
【００４２】
本実施形態においては、これらの車両操作ミスを第一側習慣ドライバー特有の予め定められた車両操作ミスとして検出するべく、車両操作ミス検出部として、車両状況検出部をなす雨雪検出部１０や、第一の車両操作を検出する第一操作検出部や第二の車両操作を検出する第二操作検出部として機能するワイパー操作部７やウインカー操作部８を有する。
【００４３】
なお、本実施形態においては、上述の各シーンの到来に伴い音声出力部４からも操作補助出力として警告音が出力される。表示部２の表示内容が音声出力部４から音声出力されるようにしてもよい。
【００４４】
ここで、第一側習慣ドライバーの特定処理（Ｓ１）について説明する。
【００４５】
第一側習慣ドライバーの特定は、予め定められた操作部へのユーザー操作によりドライバーが第一側習慣ドライバーであることを示す入力がなされた場合に、制御部１が、そのドライバーを第一側習慣ドライバーと特定する。
【００４６】
具体的にいえば、制御部１が、上記操作補助出力を行うか否かを設定するための操作部３への予め定められた出力設定操作入力を受け付けて（操作入力受付手段：出力禁止操作受付手段）、受け付けた出力設定操作入力に基づいて行う。具体的にいえば、制御部１は、図１２に示すように、上記のような操作補助出力を行うか否かを設定するための画面３０１を表示部２に表示させ、その画面３０１上への操作入力（操作ボタン３００Ｙ，３００Ｎへの選択入力）が、操作補助出力を行うという操作入力（出力許可操作）であれば第一側習慣ドライバーと特定して、上記のような操作補助出力を許可し、他方、操作補助出力を行わないという操作入力（出力禁止操作）であれば第一側習慣ドライバーではないと特定して、上記のような操作補助出力を禁止する（出力禁止手段）。
【００４７】
また、本実施形態における第一側習慣ドライバーの特定は、上記手法だけではなく、他の手法も存在する。
【００４８】
本実施形態においては、表示部２や音声出力部４もしくはそれらとは異なる他の車載機器によって出力される出力言語が、対向車線を走行車線に対し道路左右方向第二側に定めている国の言語から、それら対向車線を上記第二側とは逆の第一側に定めている国の言語へと切り替える、操作部３への予め定められた言語選択操作入力を受け付け（操作入力受付手段）、受け付けた言語選択操作入力に基づいて、第一側習慣ドライバーの特定を行うこともできる。具体的にいえば、図１３に示すように、上記出力言語を複数の言語の中から選択するための画面３０２を表示し、その画面３０２の一覧表示部３００Ｗ内に表示された各言語へのカーソル選択操作（カーソル３００Ｃを移動させて言語を選択する操作）、及びカーソル選択された言語に決定するための決定操作（決定ボタン３００Ｚへの操作入力）により、現在選択されている上記第二側に対応する言語（ここでは日本語）が上記第一側に対応する言語（例えば英語）へと切り替わる場合には、ドライバーを第一側習慣ドライバーと特定し、上記第二側に対応する言語のままである場合にはドライバーを第一側習慣ドライバーではないとする。
【００４９】
さらに本実施形態においては、第一側習慣ドライバー特有の予め定められた車両操作ミスを検出して、その車両操作ミスの検出状況が、所定条件を満たした場合についても、ドライバーを第一側習慣ドライバーと特定する。単発で上記車両操作ミスが検出された場合については、偶然のミスという可能性もあるため、それだけで第一側習慣ドライバーと特定することはしない。
【００５０】
具体的には、制御部１は、走行開始検出部１１の検出結果に基づいて自車両２０の走行開始を認識すると、図１４に示すように、まずは予め定められた車両操作ミスの検出を開始する（Ｓ２１：ミス操作検出手段）。車両操作ミスが検出されると（Ｓ２２：Ｙｅｓ）、制御部１は、その車両操作ミスがミス履歴データ５６として記憶部５に記憶・蓄積される（Ｓ２３：ミス操作記録手段）。そして、制御部１は、その更新されたミス履歴データ５６に基づいて、今回検出された最新の車両操作ミスによって、当該車両操作ミスの検出状況が、所定条件を満たしたか否かを判定し、満たしたという場合に（Ｓ２４：Ｙｅｓ）、ドライバーを第一側習慣ドライバーと特定して、上記プログラム５６（図２参照）を実行させる（Ｓ２５）。そして、制御部１は、自車両２０の走行終了を認識するまで（Ｓ２６：Ｙｅｓ）、本処理を所定周期で繰り返す。
【００５１】
以上、本発明の一実施形態を説明したが、これはあくまでも例示にすぎず、本発明はこれに限定されるものではない。例えば上記実施形態において一部の構成要件を省略する、さらには他の構成要件を追加する等、当業者の知識に基づく種々の変更が可能である。
【００５２】
例えば車両用運転操作支援装置１００は、カーナビゲーション装置として構成される必要は無い。カーナビゲーション装置とは全く別の車両用運転操作支援装置１００として独立に構成されていてもよいし、同じ車両２０に搭載されるカーナビゲーション装置と連携して構成されていてもよい。
【００５３】
上記実施形態における道路左右方向第一側を右側としてもよい。
【００５４】
上記実施形態における第一側習慣ドライバーは、対向車線を有する道路において対向車線が走行車線に対し道路左右方向第一側にある道路の走行に慣れたドライバー及び運転席が車両左右方向第一側にある車両の運転に慣れたドライバーのいずれか又は双方としてもよい。第一側習慣ドライバーに後者のドライバーが含まれる場合には、その第一側習慣ドライバー特有の車両操作ミスを生じないようにする操作補助出力が、上記実施形態のように実行される。
【００５５】
また、上記実施形態の表示部２は、表示がドライバーの運転視野内でなされる表示装置とするとよい。例えば車両２０のフロントガラスを利用したＨＵＤ（ヘッドアップディスプレイ）とすることができる。
【００５６】
また、上記実施形態における操作補助出力については、車両の走行開始が検出された走行開始シーンを特定し、特定された場合に、上記実施形態における各シーンでの運転補助内容を事前出力する操作補助出力を行ってもよい。
【符号の説明】
【００５７】
１００  車両用運転操作支援装置
１  制御部
２  表示部（出力手段）
３  操作部
４  音声出力部（出力手段）
５  記憶部
６  位置検出部
７  ワイパー操作部
８  ウインカー操作部
９  カメラ
１０  雨雪検出部
１１  走行開始検出部
１２  ステアリングホイール
【図１】
2013217739.tif 000003
【図２】
2013217739.tif 000004
【図３】
2013217739.tif 000005
【図４】
2013217739.tif 000006
【図５】
2013217739.tif 000007
【図６】
2013217739.tif 000008
【図７】
2013217739.tif 000009
【図８】
2013217739.tif 000010
【図９】
2013217739.tif 000011
【図１０】
2013217739.tif 000012
【図１１】
2013217739.tif 000013
【図１２】
2013217739.tif 000014
【図１３】
2013217739.tif 000015
【図１４】
2013217739.tif 000016
【図１５】
2013217739.tif 000017